(57)【要約】【課題】  ドアパネルの回動時に生じる吊元パネルとの隙間が極めて小さくなり、指を詰めることがなく、外観もスッキリし、見栄えのあるパネル構造とする。【解決手段】  ドアパネル１０と吊元パネル２０からなるフロントパネル５０を備えるパネル構造において、前記ドアパネルの開口側の平面視の形状が半円であるとともに、前記半円の曲率中心ｒが前記ドアパネルの回動支点ｓと略々同一とする。更に前記吊元パネルの開口側の平面視の形状を略Ｊ字状の曲面とし、前記曲面の内側の先端には弾性材を突設する。【選択図】  図１
2012067435.tif 000002
【特許請求の範囲】
【請求項１】
ドアパネルと吊元パネルからなるフロントパネルを備えるパネル構造において、前記ドアパネルの開口側の平面視の形状が半円であるとともに、前記半円の曲率中心が前記ドアパネルの回動支点と略々同一の位置であることを特徴とするパネル構造。
【請求項２】
前記吊元パネルの開口側の平面視の形状が略∫（積分記号）形の曲面であることを特徴とする請求項１記載のパネル構造。
【請求項３】
前記吊元パネルの開口側の平面視の形状が略Ｊ字状の曲面であり、前記曲面の内側の先端には弾性材が突設されていることを特徴とする請求項１記載のパネル構造。
【請求項４】
前記半円の曲率中心と前記ドアパネルの回動支点との距離が５ｍｍ以下であることを特徴とする請求項１、２又は３記載のパネル構造。
【請求項５】
前記半円の曲率中心と前記ドアパネルの回動支点との距離が０ｍｍを超えるとともに、前記半円の曲率中心が、前記ドアパネルの回動支点より吊元パネル側にあり、前記ドアパネルの回動支点と前記半円の曲率中心を結ぶ直線がドアパネルの幅方向と平行であることを特徴とする請求項４記載のパネル構造。
【請求項６】
請求項１〜５いずれか記載のパネル構造を有するトイレブース。
【発明の詳細な説明】
【技術分野】
【０００１】
本発明はパネル構造及びトイレブースに係わり、特に指詰め防止機能を備えたパネル構造及びトイレブースに関する。
【背景技術】
【０００２】
これまでより種々のパネル構造を有するトイレブースがあり、近年では外観がスッキリし、見栄えよくするために取っ手をフロントパネルの内側に設けたものが好まれている。そしてその多くは、開口部の隙間から内側が見えないよう様に工夫され、ドアパネルと吊元パネルの向かい合う端面を斜めにしたり円弧状にしたものが知られている。
【０００３】
【特許文献１】特開２０１０−０３１４６４号公報
【特許文献２】特開２００８−２０７４２０号公報
【特許文献３】特開平１０−０５４１８４号公報
【特許文献４】特開平８−２１００３５号公報
【発明の開示】
【発明が解決しようとする課題】
【０００４】
しかしながら、内側が見えないよう様に工夫されているものの、ドアパネルの開閉時には図７、図８に示すように吊元パネルの向かい合う端面にできた空間（ｗ１、ｗ２）は、静止状態時の隙間より大きくなり、この空間に指を詰めることがあり、とりわけ指の小さい乳幼児童にはわずかな隙間でも問題になることがあった。
【課題を解決するための手段】
【０００５】
本発明はかかる状況に鑑み検討されたもので、ドアパネルと吊元パネルからなるフロントパネルを備えるパネル構造において、前記ドアパネルの開口側の平面視の形状が半円であるとともに、前記半円の曲率中心が前記ドアパネルの回動支点と略々同一とすることを特徴とするものである。
【発明の効果】
【０００６】
本発明によれば、ドアパネルの開口側の平面視の形状が半円であるとともに、前記半円の曲率中心が前記ドアパネルの回動支点と略々同一とすることにより、ドアパネルの回動時に生じる吊元パネルとの隙間が極めて小さくなり、指を詰めることがなく、外観もスッキリし、見栄えのあるものとなる。また、請求項３に記載のように弾性材を装着することにより、破損することなく変形し、内側での指詰めをも防止できる。
【発明を実施するための最良の形態】
【０００７】
以下、本発明について図面に基づいて詳細に説明する。
【実施例１】
【０００８】
図１は本発明のパネル構造を有するトイレブースの要部拡大図であり、フロントパネルはドアパネル（１０）と吊元パネル（２０）とからなる。図２はドアパネル（１０）の回動状態示す断面図であり、内開きタイプである。
【０００９】
ドアパネル（１０）は厚みが３８ｍｍで、芯材（１１）とこの芯材（１１）の表面を被覆した化粧板（１５）とからなり、ドアパネル（１０）の開口側は曲率半径ｒが１９ｍｍの半円形状（１７）に加工されている。ｒは曲率中心である。
【００１０】
芯材（１１）としてはドアパネル（１０）が軽量で組み立て作業が容易となるように紙製のハニカムコアやロールコア、アルミの如き金属製のハニカムコア、フェノール樹脂やウレタン樹脂の発泡体などの中空芯材と、合板、パ−ティクルボ−ド、ＭＤＦ（中密度繊維板）、集成板、ＬＶＬあるいはこれらの複合材などの木質系素材、更に表裏に板状基材が接着したいわゆるフラッシュドアの構成からなるものを用いている。
【００１１】
板状基材としては合板、ＭＤＦ（中密度繊維板）、あるいはこれらの複合材などの木質系素材の中から適宜選択して用いればよい。
【００１２】
表層はメラミン樹脂化粧板、ジアリルフタレート樹脂化粧板、ポリエステル化粧板、オレフィン樹脂フィルム、塩化ビニールシート、天然木化粧板などの化粧板（１５）で被覆される。本発明では耐衝撃性、耐殺傷性などの諸物性に優れるメラミン化粧板を用いている。
【００１３】
ドアパネル（１０）の回動支点ｓと曲率中心ｒの距離は、フロントパネルの厚みにもよるが、概ねドアパネル（１０）の回動時に吊元パネル（２０）との間にできる空間に指を詰めないように回動支点ｓと曲率中心ｒの距離を５ｍｍ以下としてそれぞれの位置を略々同一にする。距離が０でない場合、回動支点ｓと曲率中心ｒを結ぶ直線は芯材（１１）の幅方向に対して±５°の傾斜であればほほ発明の目的を達成できる。
【００１４】
実施例１ではドアパネル（１０）の回動支点ｓと曲率中心ｒを結ぶ直線は芯材（１１）の幅方向と平行になっている。図３は回動支点ｓと曲率中心ｒの位置を示す拡大図であり、ドアパネル（１０）の回動支点ｓと曲率中心ｒの距離は１ｍｍで、曲率中心ｒの方が回動支点ｓより吊元パネル（２０）側にある。回動支点ｓの方が吊元パネル（２０）側にあると半円形の曲面（１７）が略∫（積分記号）形の曲面（２１）や、略Ｊ字状の曲面（３１）に引っ掛かりやすくなり、ドアパネル（１０）の開閉に支障をきたす。
【００１５】
吊元パネル（２０）の開口側は平面視の形状が略∫（積分記号）形の曲面（２１）になっており、内開きのドアパネル（１０）の内側の曲面と対峙する面にはなだらかな曲面（２１ａ）、また、内開きのドアパネル（１０）の外側の曲面と対峙する面にはなだらかな曲面（２１ａ）より小さな曲面（２１ｂ）とからなり、開口部の隙間から内側が見えないよう様に曲面（２１）は幾分傾斜している。
【００１６】
内開きのドアパネル（１０）の内側の曲面となだらかな曲面（２１ａ）との間は、指を挟んでも影響が少なくなるようにスペース（Ｗ）が幾分広めにとってある。
【００１７】
また、ドアパネル（１０）の回動に支障がない様、しかも回動時に指を詰めないように隙間ｗは実施例１では２ｍｍに設定されている。この場合、フロントパネルの厚みにもよるが、隙間は概ね１〜５ｍｍ程度であれば支障はない。
【実施例２】
【００１８】
図４は、実施例２のパネル構造を有するトイレブースの要部拡大図であり、図５は回動支点ｓと曲率中心ｒの位置を示す拡大図である。実施例１と異なるのは回動支点ｓの位置が曲率中心ｒの位置と同一であることを特徴とする。実施例１と同様に指詰め防止し、ドアパネル（１０）の回動時に吊元パネル（２０）に引っ掛からないようにスムーズに動く。
【実施例３】
【００１９】
図６は、実施例３のパネル構造を有するトイレブースの要部拡大断面図であり、前述と同様のドアパネル（１０）と、開口側は平面視の形状が略Ｊ字状の曲面（３１）であり、曲面（３１）の内側の先端には弾性材（３２）が突設された吊元パネル（３０）から構成されている。実施例１、２では指を挟んでも影響が少なくなるようにスペース（Ｗ）が幾分広めにとってあったが、この弾性材（３２）の緩衝効果により、指を挟んでも殆ど影響がないようになっている。
【００２０】
弾性材（３２）は、例えば、軟質塩ビ、シリコンゴムなどの中空部を有する成形品で、ＪＩＳ  Ｋ６３０１に規定する硬度が４０〜６０で、ＡＳＴＭ  Ｄ―８１３に規定する屈曲強度が１０万回以上のものが好適である。
【００２１】
中空部がない場合や硬度が６０を超える場合は弾性材（３２）が変形しづらく内側での指詰めの緩衝効果が少なくなる。硬度が４０に満たないと軟らかくなりすぎて内側での指詰めを起こしやすくなる。
【産業上の利用可能性】
【００２２】
本実施例ではトイレブースを具体的に例示して説明したが、トイレブースに限らず、建物用の扉、収納家具の扉などに広く適用することができ、指を挟むことがなく産業上極めて有益なものとなる。
【図面の簡単な説明】
【００２３】
【図１】実施例１のパネル構造を有するトイレブースの要部拡大断面図。
【図２】ドアパネルの回動の様子を示す要部拡大断面図。
【図３】図１の要部拡大断面図。
【図４】実施例２のパネル構造を有するトイレブースの要部拡大断面図。
【図５】図４の要部拡大断面図。
【図６】実施例３のパネル構造を有するトイレブースの回動の様子を示す要部拡大断面図。
【図７】従来の実施例を示すトイレブースの回動の様子を示す要部拡大断面図。
【図８】回動支点ｓ２と曲率中心ｒ２の距離が５ｍｍを超える場合の回動の様子を示す要部拡大断面図。
【符号の説明】
【００２４】
１０    ドアパネル
１０ａ  ドアパネル
１０ｂ  ドアパネル
１５    化粧板
１７    半円形の曲面
２０    吊元パネル
２０ａ  吊元パネル
２０ｂ  吊元パネル
２１    略∫（積分記号）形の曲面
２１ａ  なだらかな曲面
２１ｂ  小さな曲面
３０    吊元パネル
３１    略Ｊ字状の曲面
３２    弾性材
５０    フロントパネル
ｒ      曲率中心
ｓ      回動支点
ｓ１    回動支点
ｓ２    回動支点
Ｗ      スペース
ｗ      隙間
ｗ１    空間
ｗ２    空間
【図１】
2012067435.tif 000003
【図２】
2012067435.tif 000004
【図３】
2012067435.tif 000005
【図４】
2012067435.tif 000006
【図５】
2012067435.tif 000007
【図６】
2012067435.tif 000008
【図７】
2012067435.tif 000009
【図８】
2012067435.tif 000010